(57)【要約】    【課題】  ビデオ編集機のような操作ボタンやダイヤル等を有していないため、ユーザは、携帯電話機の上の小さなカーソルキー等を操作して、個々の画像を選択して眺めるのみならず、画像を合わせて総合的に楽しむような携帯電話機を提供する。    【解決手段】  振動を検知することによって、振動の回数又は種類に応じてビデオ編集機能又は電話番号の選択といった各種機能を実行させ、より操作の簡便な携帯電話機を提供する。【選択図】          図３
2005237014.tif 000002
【特許請求の範囲】
【請求項１】
外部よりその一部または全体に与えられた振動に対応して、各種機能の実行をすることを特徴とする携帯端末。
【請求項２】
前記各種機能は、ビデオ編集機能、電話番号の選択機能、および着信時のオフフック設定機能からなる群より選ばれる一以上の機能であることを特徴とする請求項１記載の携帯端末。
【請求項３】
画像データを記憶可能な携帯端末であって、外部より与えられた振動を検知する振動検知手段と、前記振動検知手段が検知した結果に応じて、前記携帯端末に記憶された複数の前記画像データを表示する順番を、決定および表示する画像選択表示手段と、を備える携帯端末。
【請求項４】
前記携帯端末は、携帯電話機であることを特徴とする請求項１から３いずれか記載の携帯端末。
【請求項５】
前記外部より与えられた振動は、振ったり、又はゆすったりすることで与えられた振動であることを特徴とする請求項１から４いずれか記載の携帯端末。
【請求項６】
前記外部より与えられた振動は、叩くことで与えられた振動であることを特徴とする請求項１から４いずれか記載の携帯端末。
【発明の詳細な説明】
【技術分野】
【０００１】
本発明は、時刻等の情報を表示する腕時計及び携帯電話機に関し、特に、インターネット等の電気通信回線を介しての情報の送受信（フェイスデザイン、メロディ、電子メール）が可能な情報端末機能を付加した腕時計及び振動を検知する携帯電話機に関するものである。
【背景技術】
【０００２】
近年爆発的なヒット商品となり、若者のみならず年配者までをも虜にしたｉ−ｍｏｄｅ（登録商標）、ｓｋｙ−ｗｅｂ等の機能が搭載された携帯電話機をはじめ、携帯端末は、今もなお改進の一途を辿っている。
【０００３】
これらは、通信機能を用いて、コンテンツの蓄積されたサーバに接続し、そこからテキストデータのみならず、画像データもダウンロードして表示を行うことができる。そして、携帯電話機が記憶可能なメモリの増加と画像圧縮技術の向上に伴い、画像データとしては静止画データのみならず、動画データも記憶し、表示することが可能となっている。
【０００４】
また、携帯電話機など携帯端末の中には、カメラを内蔵することによって、携帯電話ユーザの操作により、その場で撮影された映像データを保存し、後で再表示したり、電子メールに添付して他のユーザが所持する携帯電話に表示させたりするものもあり、携帯電話機ユーザのおかれた環境を、遠隔地にいる他のユーザに、映像によってよりリアルに伝えることに貢献している。
【０００５】
このようにして、多数の画像データが携帯電話同士でやり取りされており、個々の携帯電話機には多数の画像データが記憶されている。
【０００６】
これら静止画像または動画像を扱う電話機が広く普及することとなったのは、携帯電話本来の機能である電話機能自体は変わらないまま、待ち受け画像、着信メロディ、電子メール、ゲーム、メモ（スケジュール）といったＦＵＮ的要素を盛り込むことによって、ユーザの趣向性を高めていったためであり、多くのユーザは、高機能が付加されたモノを好むようになってきている。
【０００７】
また、これに関して、携帯電話機よりも以前からユーザに身に付けられ或いは携帯されていた腕時計について、従来は、腕時計本来の機能である時計表示に加えて、スケジュールや住所録、画像などのデータを内蔵した腕時計が存在するが（例えば、特許文献１参照）、腕時計にインターネット等の電気通信回線を介しての情報の送受信が可能な情報端末機能を付加したものは存在していない。
【０００８】
このため、高機能が付加されたものを好むユーザにとっては、携帯電話機を持っていれば、その携帯電話機に付加された時刻表示機能によって時刻を知ることができるから、ユーザは腕時計よりも携帯電話機に依存しがちであり、腕時計への関心が薄れてきている。
【０００９】
携帯電話機には、時刻表示機能のみならず、アラーム機能が搭載されているのが一般的であり、従来の腕時計が有する全ての機能が携帯電話機に搭載されている。
【００１０】
【特許文献１】特開２０００−２１４２７７号公報
【発明の開示】
【発明が解決しようとする課題】
【００１１】
また、携帯電話機は、その本来の機能が通話機能にあるため、メモリに記憶された個々の画像データを表示することは比較的容易であるが、複数の画像を連続的にまとめてダイジェストとして表示したり、シーンの現れる順番を変更させて表示させることは困難である。これは、携帯電話機が、通話をするためのマイク及びスピーカを、ユーザの口及び耳にそれぞれ対応させなければならないという物理的制約から、携帯電話機の小型化という観点よりも、むしろ軽量化、薄型化が重視されてきたためであり、従来の携帯電話機の操作数は、限られたボタンによって行われるためである。そして、その操作は極めて煩雑となる。
【００１２】
このように、携帯電話機はビデオ編集機のような操作ボタンやダイヤル等を有していないため、ユーザは、携帯電話機の上の小さなカーソルキー等を操作して、個々の画像を選択して眺めているに過ぎず、画像を合わせて総合的に楽しむようなことをしていなかった。
【００１３】
また、腕時計に関してみると、携帯電話機が、その本来の機能が通話機能にあるため、通話機能を通信機能にまで拡充させることで、かかる通信機能付き携帯電話機を構成することが可能であるのに比べ、腕時計は、その本来の機能が時刻表示機能にあり、通信という機能を付加するには馴染みがないものである。
【００１４】
腕時計は、アクセサリー的要素のある小型の腕時計から防水性・耐久性に優れた大型の腕時計というように、軽量化、薄型化という観点よりは、ユーザの好みに応じて選ばれるものである。そして、腕時計については、腕に装着するものであるから、装着した違和感がないくらいの大きさであればよく、携帯電話のように持ち運びの煩わしさという観点はなく、腕時計の大きさ自体が問題となることもなかったのである。
【００１５】
つまり、腕に装着している適度な大きさの腕時計によって、時刻の確認がすぐにできるのである。
【００１６】
本発明の目的は、腕時計に通信機能を付加することによって、時計本来の機能を損なわずに、ＦＵＮ的要素を盛り込んだ腕時計を提供することである。
【００１７】
また、腕時計ほどの小さなモノにも簡便な操作、例えば、腕時計自体又は携帯電話機を強く振って、その回数に応じて各種機能を実行させることである。
【課題を解決するための手段】
【００１８】
本発明においては、以上の目的を達成するために、振動を検知することによって、振動の回数又は種類に応じて各種機能を実行させ、より操作の簡便な携帯電話機を提供する。
【００１９】
また、インターネット等の電気通信回線を介する情報の送受信を可能とし、時刻情報を表示する表示部のフェイスデザインの変更、アラーム音の変更等を容易に為しうる情報端末機能付き腕時計を提供する。
【００２０】
より具体的には、以下のようなものを提供する。
【００２１】
（１）  外部よりその一部または全体に与えられた振動に対応して、各種機能の実行をすることを特徴とする携帯端末。
【００２２】
従来は、携帯電話機に代表される携帯端末の操作は、ボタン式やジョグダイヤル式が主流であったが、更なる高機能化を実現するためには、他の操作方法が必要となってくる。本発明によれば、携帯端末を振るだけで、その振動を検知して、各種機能が実行される。
【００２３】
これにより、例えば、携帯電話機本体を５回振るだけで、特定の相手に電話を掛けられるように、発信番号を呼び出すなどの機能が実行される。
【００２４】
（２）  前記各種機能は、ビデオ編集機能、電話番号の選択機能、および着信時のオフフック設定機能からなる群より選ばれる一以上の機能であることを特徴とする（１）記載の携帯端末。
【００２５】
これにより、携帯端末を所定回数振るだけで、動画を自動的に再生、編集、録画等する機能が実行される。
【００２６】
このように、携帯端末を振るだけで、自動的に動画編集を行う機能を搭載することによって、ときにはユーザの意に反した結果となることになるが、毎回違う結果が表示されるという観点からはかえって面白みが増し、ユーザの趣向性を高めることができる。更に、編集の仕上がった画像シーケンスを友人らと見せ合ったりして楽しむような、コミュニケーションツールとしての役割も果たす。
【００２７】
（３）  画像データを記憶可能な携帯端末であって、外部より与えられた振動を検知する振動検知手段と、前記振動検知手段が検知した結果に応じて、前記携帯端末に記憶された複数の前記画像データを表示する順番を、決定および表示する画像選択表示手段と、を備える携帯端末。
【００２８】
（４）  前記携帯端末は、携帯電話機であることを特徴とする（１）から（３）いずれか記載の携帯端末。
【００２９】
携帯端末の中でも携帯電話機は特に、取り扱いの簡明さに対する要求が強く、特に、内蔵された画像データを編集するための操作は容易ではない。このような携帯電話機に、外部からの振動による各種機能の実行をさせることにより、簡単に携帯電話機を操作させることができる。特に記憶された画像データを、携帯電話機を振るという簡単な操作で編集できることにより、ユーザは、時と場所を選ばず、編集された画像を楽しんだり、仲間と見せ合ったりできる。
【００３０】
（５）  電気通信回線を通じて接続されたサーバとの間で情報の送受信を行う通信手段と、前記通信手段が受信する情報を表示する表示部と、を備える情報端末機能付き腕時計。
【００３１】
本発明によれば、時刻情報を表示するという時計本来の機能を発揮する表示部を有し、さらに、無線通信を介しての情報の送受信が可能な情報端末機能付き腕時計であるから、通信機能を付加した新たな腕時計を提供することができる。
【００３２】
ここで、「通信手段」は、腕時計に搭載されているものでもよく、情報端末機能を有する外部デバイスとの通信を行う機能であってもよい。後者の場合のデバイスとしては、携帯電話機、ＰＨＳ等がある。なお、腕時計本体に通信機能を搭載するよりも、腕時計を装着しているユーザが持ち歩いている携帯電話機やＰＨＳなどの別端末を利用して通信を行う方が、腕時計の小型化という観点からすれば優れている。
【００３３】
そして、かかる通信機能が付加された腕時計によって、以下のＦＵＮ的要素を盛り込むことが可能となる。
【００３４】
（６）  前記通信手段が受信する情報は、前記表示部のフェイスデザイン画像データ、メロディアラーム音データおよび電子メールデータからなる群より選ばれる一以上の機能であることを特徴とする（５）記載の情報端末機能付き腕時計。
【００３５】
本発明によれば、情報の媒体となるのは表示部のフェイスデザインであるから、フェイスデザインをダウンロードすることによって、かかるフェイスデザインを容易に変更することが可能となる。
【００３６】
従来の腕時計は、予め製造段階でフェイスデザインが固定されているため、フェイスデザインを変更するということは、時計を買い換えるということに他ならないものであった。
【００３７】
しかしながら、本発明によれば、携帯電話機でいう待ち受け画面やＰＣでいう壁紙のように、ユーザの好みの画像をフェイスデザインとしてカスタマイズすることができる。
【００３８】
すなわち、フェイスデザインの変更によって、時計を買い換えたのと同等のイメージを与えるものであり、グラフィカルな時計から、シックなもの等、フェイスデザインのデザイナー次第で新鮮な感覚が楽しめることとなる。
【００３９】
また、本発明によれば、情報の媒体となるのはアラーム音としてのメロディであるから、メロディをダウンロードすることによって、かかるメロディを容易に変更することが可能となる。
【００４０】
従来の腕時計は、予め製造段階でメロディが固定されているため、メロディを変更するということは、時計を買い換えるということに他ならないものであった。
【００４１】
しかしながら、本発明によれば、携帯電話機でいう着信メロディのように、ユーザの好みの音楽をアラーム音として変更することができる。
【００４２】
すなわち、目覚ましやタイマー等、時計が奏でる「音」に依存する生活は、もはや日常的といえるのであり、ユーザの好みでいつでも音を変えられるようにすることで、新鮮な感覚が楽しめることとなる。
【００４３】
さらに、本発明によれば、情報の媒体となるのは電子メールである。現在は「メール型コミュニケーション」が主流となり、かかるシステムを腕時計に搭載することによって、腕時計に新たなＦＵＮ的要素を付加し、腕時計の趣向性を高めることができる。
【００４４】
また、本発明によれば、電子メールの内容が腕時計の表示部に表示されることから、時刻を確認するような感覚で、簡単に電子メールのチェックを行うことができる。
【００４５】
なお、メールを送信する場合には、メール作成のための入力支援システムが必要となってくるが、この場合には、腕時計と接続され、操作部の操作により生じた軌跡を操作軌跡として入力する入力手段と、前記操作軌跡を何らかの識別記号として認識する認識手段と、を有し、前記操作部から入力された操作軌跡に基づいて、前記認識手段による識別記号の認識が行われるような機能を付加することによって、リストウオッチのように小型のデバイスからでも、難なくメールの作成が可能となる。
【００４６】
さらに、このような入力支援システムを利用した場合、腕時計のスケジューラにテキスト入力を行ったり、腕時計にメモ帳としての機能も持たせることができる。
【発明の効果】
【００４７】
以上、本発明によれば、携帯電話機は振動を検知して、各種機能が実行されるように構成される。このことによって、携帯電話機は、例えば、携帯電話機を振るだけで、内部に記憶された画像データを自動的に編集し、編集されたシーケンスを表示する。従来携帯電話機の操作ボタン等の制約から困難であった画像の編集が携帯電話機上で気軽に行えるようになる。編集されたシーケンスは、ときにはユーザの意に反した結果となることになるが、毎回違う結果が表示されるという意外性からは面白みがあり、ユーザの趣向性を高めることができる。
【００４８】
また、携帯電話の着信音が鳴ったときの応答や、特定のユーザに電話をかけることも、ボタン操作なしに、携帯電話自体を数回振るだけで可能となり、ユーザに対し簡易な操作手段を提供する。
【００４９】
このように、携帯性向上という携帯電話機からは切り離せない、操作の複雑さといった問題からユーザを解放し、楽しく画像編集や、通話操作を行うことができるようになる。
【００５０】
また、腕時計に通信機能を付加することによって、時刻情報を表示する表示部のフェイスデザインの変更、アラーム音の変更等を容易に為しうる情報端末機能付き腕時計を提供することができ、時計本来の機能を損なわずに、ＦＵＮ的要素を盛り込んだ腕時計を提供することがきる。
【発明を実施するための最良の形態】
【００５１】
以下、本発明の実施の形態について説明する。
【００５２】
［振動検知付き携帯電話機］
図１に、本発明の実施の形態に係る携帯電話機の例を示す。携帯電話機２は、ユーザが通話時に会話を行うためのマイク４及びスピーカ６、また、通話のための電話番号や、電子メール作成のための文字を入力する入力キーからなる操作部８の他に、液晶表示器等により構成され、文字や静止画、動画を表示するための表示部１０を備える。また、操作部８の入力キーの中には、特に表示部１０に表示されるメニューカーソルの表示位置を移動したり選択を行うため、カーソルキー１２及び選択キー１４がある。
【００５３】
携帯電話機は、振動検知によって、各種機能が実行される。具体的には、ビデオ編集機能や電話番号の選択機能がある。
【００５４】
例えば、着信メロディが鳴っているときに、携帯電話機自体を一度振るだけで通話状態にすることができる。或いは、通話状態に携帯電話機自体を一度振るだけで通話を切断することができる。さらに、別の態様においては、携帯電話機自体を一度振るとＡ氏、二度振るとＢ氏に電話を掛けるというような機能とすることもできる。
【００５５】
また、携帯電話機にビデオ画像編集機能を持たせることで、録画したビデオ画像（例えば、３カット分とか）のデータを携帯電話機自体を振ることで、自動的に編集したりできる。要するに、携帯電話機をシェークする雰囲気を演出することで、動画を自動編集することができる。携帯電話はユーザのシェーク動作によって、意外性を持ったシーケンスを表示することになるのである。
【００５６】
図２には携帯電話機２の表示部１０に表示される画像の例を示す。（ａ）は猿１６のシーンであるシーン１が表示され、（ｂ）には富士山の景色１８のシーン２が表示され、（ｃ）には花２０のシーン３が、そして、（ｄ）には招き猫２２のシーン４が表示されている。これらの画像は、ユーザが携帯電話機に内蔵されたビデオカメラで撮った画像であったり、もしくは携帯電話機の通信機能を用いて、ネットワークを通じて接続したサーバからダウンロードした画像である。これらの中には静止画像及び動画像の両方が混在していてかまわない。
【００５７】
これらの映像は、その映像の番号や、選択メニューなどと共に表示される。通常は、表示部１０に表示される選択メニューにしたがってカーソルキー１２をユーザが操作したり、表示部に表示される映像メニューから映像が選ばれることによって、個々の映像が表示される特定のシーンが表示されているときに選択ボタンが操作されると、そのときに表示されているシーン映像が、編集対象として選択される。このようにして、ユーザが編集して表示させたい画像データと、表示しない画像データとが区別される。この区別は後に説明するインデクステーブル（図７）の編集選択のフィールドに示される。
【００５８】
次に、携帯電話機の左カーソルボタンが操作され、携帯電話機が編集モードになった状態で、図３に示すように、携帯電話機が手に持たれ振られると画像編集が行われる。この編集は、ビデオのそれぞれのシーンが、例えば数秒の短いシーンにカットされ、順不同に並び変えられて一つの画像シーケンスになるものである。
【００５９】
次に、ユーザが再生の操作を行うと、携帯電話機は表示部１０に、先に編集を行ったシーケンスを例えば図４に示すように表示する。
【００６０】
このようにして、ユーザは、携帯電話機に記憶されたそれぞれの映像の短縮版により構成された画像シーケンスを映画のように見ることができる。
【００６１】
なお、携帯電話機に振動を与える手段としては、携帯電話機全体を振ったり揺すったりすることを説明したが、この他にも、振動を与える手段としては、携帯端末の一部を手や指で叩くといったことであっても良く、このような一部の振動を検知するセンサの設置は公知の手段で行えるものである。
【００６２】
［携帯電話機の構成］
図５は、本発明の実施の形態に係る携帯電話機のシステムブロック図である。携帯電話機２は、制御部２４と、表示部１０と、操作部８と、送受信回路２６と、アンテナ２６ａと、着信音出力部２８と、音声入力部３０と、音声出力部３２と、メモリ３４とを備えている。制御部２４は、メモリ３４に記憶させたプログラムに基づいて携帯電話機２の各種制御を行う。
【００６３】
表示部１０は、ユーザに対して各種の情報や画像を表示する。操作部８は、ユーザが携帯電話機２の操作を行うためのものであり、カーソルキー１２をはじめ、操作キー等を有している。送受信回路２６は、音声等の送受信を行うための回路であり、無線基地局と交信するためのアンテナ２６ａが接続されている。着信音出力部２８は、携帯電話機２に着信があった場合に着信音を出力する。音声入力部３０は、通話時にユーザの音声を入力するためのマイク４を備えている。音声出力部３２は、ユーザに発信元からの音声を出力させるスピーカ６を備えている。メモリ３４には、携帯電話機２の制御プログラム、電話帳データ、電子メールアドレス帳データ、送信／受信メールデータ、画像データ及びそのインデクステーブルデータが記憶される。振動センサ３８は、ユーザが携帯電話機２を振ったことを検知するものである。振動センサ３８は、図６に示すように携帯電話機２の中に設置される。携帯電話機２がユーザによって上下に振られると、その加速度の変化に応じて振動センサ３８の電気的抵抗値が変化する。この変化が電気信号として制御部２４により検知されるのである。振動センサはこの他にも、例えば、特開平０５−００５６２８号公報に示されるような公知の技術で構成することが可能である。
【００６４】
メモリ３４には、画像データ及び画像データが記憶されるが、この画像データが記憶・格納されている場所を管理するインデクステーブルデータの構成を図７に示す。インデクステーブルデータは、それぞれメモリに記憶された画像の１テーク分のシーン番号３９ごとに、メモリ上のアドレス４１、データサイズ４２、編集選択４０（編集・表示を行うか否か）を示す。
【００６５】
［動作］
次に、制御部２４の画像編集動作及び再生動作等について図８に示すフローチャートを参照して説明する。
【００６６】
制御部２４は、メモリ３４に記憶された携帯電話機のモードを示す変数を読み出して、携帯電話機２の状態の判断を行う（ステップＳ１１）。本ステップにおいて編集モードにあると判断した場合、制御部２４は処理をステップＳ２０に移す。この一方編集モードにないと判断した場合には、処理をステップＳ１２に移す。なお、モード変数は、ステップＳ１５の処理の中で、ユーザによって特定メニューの選択がされることによって変化する。
【００６７】
ステップＳ２０において、制御部２４は振動センサ３８からの信号が検知されたか否か判断する。ここで、信号が検出されない場合には制御部２４はステップＳ２０の処理を繰り返す。この一方で、振動の信号が検出された場合には、制御部２４は処理をステップＳ２１に移す。
【００６８】
ステップＳ２１において、制御部２４は、記憶された画像データをインデクスから選ぶための乱数値を求める。乱数は、例えば、制御部の演算によって行なうが、振動信号２０を待ちながらステップＳ２０の処理を繰り返す回数に基づいて発生することとしても良い。
【００６９】
制御部２４は、ステップＳ２１において求めた乱数値によって、インデクステーブルから１テーク分の画像を選択し、そのインデクスをメモリ上に配置された再生リストテーブルに登録する。
【００７０】
次いで、制御部２４は、インデクステーブルに登録された画像の全てがステップＳ２２において選択されたか否かを判断する（ステップＳ２３）。本ステップにおいて、登録された画像が全て選択されたと判断した場合には、制御部２４は処理をステップＳ１１に移す。一方で、登録された画像がまだ選択されていない場合には、制御部２４はステップＳ２０からの処理を繰り返す。
【００７１】
ステップＳ１２において、制御部２４はメモリ３４に記憶されたモード変数を読み出して、携帯電話機２の状態がシーケンス再生モードにあるか否かの判断を行う。本ステップにおいてシーケンス再生モードにあると判断した場合、制御部２４は処理をステップＳ３０に移す。この一方で、再生モードにないと判断した場合には、処理をステップＳ１３に移す。
【００７２】
ステップＳ３０においては、制御部２４は再生リストテーブルに登録された画像をリストの順に再生する。画像の再生は、再生リストテーブルに登録された画像のインデクスから、該当するインデクステーブルのメモリアドレス欄を参照して、メモリ上の画像データを読み出すことによって行う。制御部２４は読み出した画像データを表示部１０に表示させる。
【００７３】
ステップＳ３１において、制御部２４は再生リストテーブルに登録された全ての画像データが再生され尽くしたか否かを判断する。本ステップにおいて、全ての画像データの再生が終わったと判断した場合には、制御部２４は処理をステップＳ１１に移す。この一方で、まだ再生されていない画像データがあると判断した場合には、制御部２４は処理をステップＳ３０に移し、再生リストテーブルに登録された次の画像データの再生を行う。
【００７４】
ステップＳ１３において、制御部２４は、携帯電話機２が着信状態にあるか否かを判断する。本ステップにおいて、着信状態すなわち、誰かから電話がかかってきており、着信音出力部２８のスピーカから着信音が鳴っている状態にあると判断した場合、制御部２４は、処理をステップＳ４０に移す。この一方で着信状態で無い場合には、制御部２４は、処理をステップＳ１４に移す。
【００７５】
ステップＳ４０において、制御部２４は振動センサ３８からの信号が検知されたか否か判断する。ここで、信号が検出されない場合には制御部２４はステップＳ１１に処理を移す。この一方で、振動の信号が検出された場合には、制御部２４は処理をステップＳ４１に移す。ステップＳ４１において制御部２４は、携帯電話機をオフフック状態にして通話可能にする。
【００７６】
この処理によって、携帯電話機は、着信音がなった時に、ユーザが携帯電話機を振っただけで、ボタン等の操作なしに即通話可能となる。
【００７７】
ステップＳ１４においては、制御部２４は、携帯電話機２がアイドル状態にあるか否かを判断する。本ステップにおいて、アイドル状態すなわち、通話中で無く、誰からも電話がかかってきていない状態にあると判断した場合、制御部２４は、処理をステップＳ５０に移す。この一方でアイドル状態に無い場合には、制御部２４は、処理をステップＳ１５に移す。
【００７８】
ステップＳ５０において、制御部２４は、振動センサ３８からの信号が検知されたか否か判断する。信号が検出されない場合には制御部２４はステップＳ１５に処理を移す。この一方で、振動の信号が検出された場合には、制御部２４は処理をステップＳ５１に移す。ステップＳ５１においては、制御部２４は、何回分の振動が検知されたのか、振動回数を測定する。次にステップＳ５３において、制御部２４はステップＳ５１において測定した振動回数に対応する、メモリに配置された電話帳リストの電話番号を発信する。ここで、電話帳リストとは、ユーザが特定の電話番号を登録するためのメモリ上に配置されたテーブルである。
【００７９】
この処理によって、携帯電話機は、ユーザが携帯電話機を振った回数に応じて、電話帳リストデータに登録された所定の携帯電話に通話させることが可能となる。
【００８０】
ステップＳ１５においては、制御部２４は、操作部８のボタンの操作に応じた処理等を行う。
【００８１】
また、折り畳み式の携帯電話機において、開閉部を回転可能な状態としておくことで、新たな付加機能を持つ携帯電話機を提供することができる。
【００８２】
［情報端末腕時計］
本発明の第二の実施の形態に係る情報端末機能付き腕時計を図９に示す。情報端末機能付き腕時計４５は、時刻４７を表示するためのＬＣＤパネル４６、電源スイッチ４８及び表示画面変更スイッチ４９を備える。ＬＣＤパネル４６には、時刻４７の他、フェイスデザインを全面に表示することができる。このフェイスデザインは、表示画面変更スイッチ４９が操作されることによって、通信接続された外部サーバから別のものがダウンロードされて更新表示することができる。したがって、ユーザは、現在表示されているフェイスデザインに飽きた場合には、表示画面変更スイッチ４９を操作して、新たなフェイスデザインをＬＣＤパネル４６に表示させることができるようになる。
【００８３】
情報端末機能付き腕時計４５のシステムブロック図を図１０に示す。
【００８４】
本発明第二の実施の形態に係る情報端末機能付き腕時計４５は、ＬＣＤパネル（表示部）４６と、この表示動作を制御するＬＣＤドライバ５３と、時刻情報を計測するリアルタイムクロック（ＲＴＣ）５２と、ＲＴＣ５２に所定の振動数のパルス信号を出力する水晶振動子５７と、電源スイッチ４８及び表示画面変更スイッチ４９と、バッテリー５５と、これらの各機器を制御するマイクロプロセッシングユニット（ＭＰＵ）５１と、が設けられている。ＭＰＵ５１はＲＯＭ６２に内蔵されたプログラムに基づいて各種処理を行う。
【００８５】
そして、ＲＴＣ５２により計測された時刻情報がＭＰＵ５１に出力され、このＭＰＵ５１が、時刻情報及びＲＯＭ６２に格納されている表示画面データに基づき、ＬＣＤドライバ５３を介してＬＣＤパネル４６に表示を行う。
【００８６】
また、ＭＰＵ５１には、無線送信部及び受信部からなる通信手段６１が接続されており、この通信手段によって、インターネット等の電気通信回線を介しての情報の送受信が可能となる。具体的には、フェイスデザイン、アラーム音としてのメロディ、電子メールの送受信が可能である。
【００８７】
図１１には、情報端末機能付き腕時計の周辺構成を示す。情報端末機能付き腕時計４５は、内蔵する通信手段６１により、携帯電話と同様、基地局７１に無線通信接続を行う。そしてそこから、インターネット７３を介して、サーバ７５に接続を行う。サーバ７５には、情報端末機能付き腕時計４５がダウンロードして利用するためのフェイスデザインのデータが蓄積されている。
【００８８】
情報端末機能付き腕時計４５は、表示画面変更スイッチ４９が操作されると、その操作内容に対応して、ユーザのサーバ７５から、フェイスデザインのデータをダウンロードする。そして、ダウンロードしたデータをＬＣＤドライバ５３を通じてＬＣＤパネル４６に表示する。
【００８９】
［情報端末機能付き腕時計の動作］
次に、情報端末機能付き腕時計４５のＭＰＵ５１のフェイスデザイン変更動作等について図１２に示すフローチャートを参照して説明する。
【００９０】
ＭＰＵ５１は、表示画面変更スイッチ４９が操作されたか否かの判断を行う（ステップＳ１０１）。本ステップにおいて表示画面変更スイッチ４９が操作されたと判断した場合、ＭＰＵ５１は処理をステップＳ１０２に移す。この一方で、表示画面変更スイッチ４９が操作されていないと判断した場合には、処理をステップＳ１０５に移す。
【００９１】
ステップＳ１０２において、ＭＰＵ５１は無線通信装置を備える通信手段６１を制御して、無線通信により、基地局７１を通じてサーバ７５に通信接続を行う。次に、ＭＰＵ５１は、ステップＳ１０３において、サーバ７５からフェイスデザインデータをダウンロードする。次に、ＭＰＵ５１は、ステップＳ１０４において、サーバ７５からダウンロードしたデータを、ＬＣＤドライバ５３に書き込むことによって、ＬＣＤパネル４６に表示して、処理をステップＳ１０５に移す。
【００９２】
ステップＳ１０５において、ＭＰＵ５１は、フェイスデザインデータのダウンロード処理以外の通常の時計としての処理を行う。
【００９３】
この他にも、ＭＰＵ５１には、インタフェース５６を介して外部接続端子６０が接続されており、外部接続端子６０に、メール作成のための入力支援システムを接続することによって、メールを作成し、送信することが可能である。
【００９４】
なお、通信手段６１によって「日本標準時」をのせた標準電波を受信し、ＭＰＵ５１によってＲＴＣ５２の時刻を自動修正する電波時計として機能させることもできる。この場合情報端末機能付き腕時計４５は、フェイスデザインのデータが蓄積されたサーバ７５ではなく、時刻情報を提供する別のサーバに接続することとなる。
【図面の簡単な説明】
【００９５】
【図１】本発明の実施の形態に係る携帯電話機を示す図である。
【図２】本発明の実施の形態に係る携帯電話機の表示部に表示される図の例である。
【図３】本発明の実施の形態に係る携帯電話機に振動を与えている場面を示す図である。
【図４】本発明の実施の形態に係る携帯電話機に示される画像シーケンスを示す図である。
【図５】本発明の実施の形態に係る携帯電話機の回路ブロックを示す図である。
【図６】本発明の実施の形態に係る携帯電話機に内蔵された振動センサを示す図である。
【図７】本発明の実施の形態に係る携帯電話機のメモリに配置されるインデクステーブルの例を示す図である。
【図８】本発明の実施の形態に係る携帯電話機の処理装置の処理フローを示す図である。
【図９】本発明の第二の実施の形態に係る情報端末機能付き腕時計の外観を示す図である。
【図１０】本発明の第二の実施の形態に係る情報端末機能付き腕時計のシステムブロック図である。
【図１１】本発明の第二の実施の形態に係る情報端末機能付き腕時計を含む接続を示す構成図である。
【図１２】本発明の第二の実施の形態に係る情報端末機能付き腕時計の処理フローを示す図である。
【符号の説明】
【００９６】
２      携帯電話機
４      マイク
６      スピーカ
８      操作部
１０    表示部
１２    カーソルキー
１４    選択キー
２２    表示部
２４    制御部
２６ａ  アンテナ
２６    送受信回路
２８    着信音出力部
３０    音声入力部
３２    音声出力部
３４    メモリ
３８    振動センサ
４６    ＬＣＤパネル
４８    電源スイッチ
４９    表示画面変更スイッチ
５３    ＬＣＤドライバ
５５    バッテリー
５６    インタフェース
５７    水晶振動子
６０    外部接続端子
６１    通信手段
６２    ＲＯＭ
【図１】
2005237014.tif 000003
【図２】
2005237014.tif 000004
【図３】
2005237014.tif 000005
【図４】
2005237014.tif 000006
【図５】
2005237014.tif 000007
【図６】
2005237014.tif 000008
【図７】
2005237014.tif 000009
【図８】
2005237014.tif 000010
【図９】
2005237014.tif 000011
【図１０】
2005237014.tif 000012
【図１１】
2005237014.tif 000013
【図１２】
2005237014.tif 000014
【手続補正書】
【提出日】平成17年3月30日(2005.3.30)
【手続補正１】
【補正対象書類名】特許請求の範囲
【補正対象項目名】全文
【補正方法】変更
【補正の内容】
【特許請求の範囲】
【請求項１】
外部よりその一部または全体に与えられた振動に対応して、ビデオ編集機能、電話番号の選択機能、および着信時のオフフック設定機能からなる群より選ばれる一以上の機能の実行をすることを特徴とする携帯電話機。
【請求項２】
画像データを記憶可能な携帯端末であって、外部より与えられた振動を検知する振動検知手段と、前記振動検知手段が検知した結果に応じて、前記携帯端末に記憶された複数の前記画像データを表示する順番を、決定および表示する画像選択表示手段と、を備える携帯電話機。
【請求項３】
前記外部より与えられた振動は、振ったり、又はゆすったりすることで与えられた振動であることを特徴とする請求項１又は２に記載の携帯電話機。
【請求項４】
前記外部より与えられた振動は、叩くことで与えられた振動であることを特徴とする請求項１又は２に記載の携帯電話機。